(57)【要約】【課題】送風量の低下などを招くことなくゴミや埃等の異物の侵入を防ぐことができるものとする。【解決手段】吸入口１１から吐出口１２に至る空気流路中に回転駆動されるファン２１及び加熱手段を配したもので、吸入口１１には第１のフィルター６１と、この第１のフィルターと上記ファンとの間に位置する第２のフィルターを備える。第２のフィルターはメッシュ状で且つ網目幅が３００〜６５０μｍである。内部に配した第２のフィルターによって細かい異物を捕獲することができる。【選択図】図１
2008307221.tif 000002
【特許請求の範囲】
【請求項１】
吸入口から吐出口に至る空気流路中に回転駆動されるファン及び加熱手段を配している加熱送風装置において、上記吸入口には第１のフィルターを配設するとともに、この第１のフィルターと上記ファンとの間にメッシュ状で且つ網目幅が３００〜６５０μｍである第２のフィルターを配置していることを特徴とする加熱送風装置。
【請求項２】
上記第２のフィルターはその開口率が５５〜９０％であることを特徴とする請求項１記載の加熱送風装置。
【請求項３】
上記第１のフィルターは開口率が５０〜７５％で且つ自己保形性を有するものであることを特徴とする請求項１または２記載の加熱送風装置。
【請求項４】
上記第１のフィルター及び上記第２のフィルターが吸入口に対して着脱自在であり、且つ第２のフィルターとファンとの間に第３のフィルターを配置していることを特徴とする請求項１記載の加熱送風装置。
【請求項５】
上記第１のフィルター及び第２のフィルターは上記吸入口に対して着脱自在な取付枠に取り付けられたものであり、第１のフィルターの端縁に設けた突片が差し込み連結された上記取付枠はその内面側に上記突片を囲む凸部を備えていることを特徴とする特徴とする請求４記載の加熱送風装置。
【発明の詳細な説明】
【技術分野】
【０００１】
本発明は、ヘアドライヤーや温風送風機のような加熱送風装置に関するものである。
【背景技術】
【０００２】
ヘアドライヤーや温風送風機といった加熱送風装置においては、回転駆動するファンによって吸入口から吸い込んだ空気を吐出口に向けて送り出すにあたり、内部の空気流路中に加熱手段を配して、加熱手段で加熱した空気が吐出口から吐出されるようにしている。
【０００３】
このような加熱装置においては、ごみや埃、毛髪等が吸入口から吸い込まれてしまわないように吸入口にフィルターを設置することが行われているが、ヘアドライヤーにおいては上記フィルターとして直径数ｍｍ程度の孔を備えた金属製乃至合成樹脂製の自己保形性を有する多孔板が用いられている。これは手に持って使用される機器で落下させてしまう虞を有しているために、このような時にもフィルターの破損が生じないようにしているためである。
【０００４】
しかし、上記のような目の粗いフィルターではどうしてもゴミや埃が吸い込まれてしまい、モータやヒータを傷める原因となってしまっている。
【０００５】
特開平６−４６９１９号公報（特許文献１）において、フィルターを二重に設けるとともに、両フィルターをずらして配置することが提案されているが、目の粗いフィルターを二重にしているだけであるために、細かい埃などの侵入を防げるものではない。
【特許文献１】特開平６−４６９１９号公報
【発明の開示】
【発明が解決しようとする課題】
【０００６】
本発明は上記の従来の問題点に鑑みて発明したものであって、送風量の低下などを招くことがないのはもちろん、ゴミや埃等の異物の侵入を防ぐことができる加熱送風装置を提供することを課題とするものである。
【課題を解決するための手段】
【０００７】
上記課題を解決するために本発明に係る加熱送風装置は、吸入口から吐出口に至る空気流路中に回転駆動されるファン及び加熱手段を配しているものにおいて、上記吸入口には第１のフィルターを配設するとともに、この第１のフィルターと上記ファンとの間にメッシュ状で且つ網目幅が３００〜６５０μｍである第２のフィルターを配置していることに特徴を有している。内部に配した第２のフィルターによって細かい異物を捕獲できるようにしたものである。
【０００８】
上記第２のフィルターはその開口率が５５〜９０％であることが風量確保と強度の点で好ましい。
【０００９】
また、第１のフィルターは開口率が５０〜７５％で且つ自己保形性を有するものが上記第２のフィルターの保護を行う存在のものとして好ましい結果を得ることができる。
【００１０】
そして上記第１のフィルター及び上記第２のフィルターが吸入口に対して着脱自在であると、第２のフィルターの掃除が容易となり、この時、第２のフィルターとファンとの間に第３のフィルターを配置していると、第１のフィルター及び第２のフィルターを取り外している時の安全性を確保することができる。
【００１１】
また、上記第１のフィルター及び第２のフィルターは上記吸入口に対して着脱自在な取付枠に取り付けられたものであると、第１のフィルター及び第２のフィルターを取り外して掃除することが更に容易となり、第１のフィルターの端縁に設けた突片が差し込み連結された上記取付枠はその内面側に上記突片を囲む凸部を備えていると、第１のフィルターのエッジが取付枠の着脱に際して使用者を傷つけてしまう虞を無くすことができる。
【発明の効果】
【００１２】
本発明によれば、メッシュ状で且つ網目幅が３００〜６５０μｍのフィルターを用いているために、細かい埃も捕獲することができるものであり、しかもこの種のメッシュ状フィルターは開口率も高いために風量の低下を招くことがない。そして上記フィルターの外側には第１のフィルターを配しているために、メッシュ状フィルターが備えていない耐衝撃性を第１のフィルターで補うことができるものである。
【発明を実施するための最良の形態】
【００１３】
以下、本発明を添付図面に示す実施形態に基いて説明すると、図示例はヘアドライヤーを示しており、後端面が吸入口１１、前端面が吐出口１２となっている筒状の本体ハウジング１は、その後端側の下面に軸部１５を中心に回動自在となったグリップ部３が連結されている。
【００１４】
上記本体ハウジング１はその後部内にモータ２０とファン２１とを内部に位置させた風洞２を備えており、前部内にも風洞４を備えている。ヒータ（図示せず）が内部に配される風洞４は、本体ハウジング１の内面との間に環状の空気流路を確保した状態で本体ハウジング１内にセットされるもので、前記風洞２と一体のものとして形成されており、上記ファン２１からの風は、主として風洞４内を通って吐出口１２に向かうが、その他にハウジング３内周面と風洞４外周面との間の流路を通って吐出口１２に向かうものも生じるようになっている。ヒータ部分を通過しない冷風が、上記ヒータで加熱した温風を囲むようにして吐出口１２から吐出することから、毛髪が加熱され過ぎることがないものである。図中４５は吐出口１２に配したノズルであり、該ノズル４５は２つのノズル口によって吐出口１２を出ていく風を２つの流れに分けた状態で吐出する。
【００１５】
また、本体ハウジング１の上面側にはイオン発生手段５を配置してある。ここで示しているイオン発生手段５は、針状の放電電極５１及びリング状の対向電極５２に加えて、放電電極５０を冷却することで空気中の水分を放電電極５１上に結露させる冷却手段５３と、ペルチェ素子からなる上記冷却手段５３から発生する熱を放熱するための放熱部５４とからなる静電霧化機能を備えたもので、上記放電電極５１は高電圧発生手段（図示せず）に接続され、対向電極５２は接地されている。
【００１６】
冷却手段５３で冷却される放電電極５１に高電圧発生手段からの負の高電圧を印加する時、結露によって放電電極５１上に生じた水は、放電電極５１と対向電極５２との間での放電に際して、レイリー分裂を起こしてマイナスに帯電した微細粒子水となり、本体ハウジング１の上部前面に形成されたイオン吹き出し口１３より外部に放出される。なお、ファン２１による風の一部はイオン発生手段５を配した空間にも流れ込んで放熱部５４を冷却するとともに、更にその一部はイオン吹き出し口１３から出ていくために、イオン（帯電微粒子水）はこの風に乗って出て行く。
【００１７】
このように構成された図示の加熱送風装置（ヘアドライヤー）において、上記吸入口１１には総計３個のフィルター６１，６２，６３が配設されている。
【００１８】
フィルター６１は開口率５０〜７５％のＳＧＣＣ等の板金材質で形成された厚み０．５〜２ｍｍの多孔板（パンチングメタル）からなる自己保形性を有するもので、その孔は３ｍｍ強の径を有し、桟部の幅は０．８ｍｍ程度となっている。上記孔の形状は六角形となっているものが好ましい。桟部の強度を均等に保つことができると同時に総開口面積を大きくとることができるからである。
【００１９】
フィルター６２は金属メッシュもしくはポリエステル等の難燃性樹脂からなるメッシュで形成された開口率が５５〜９０％、好ましくはのもので、その網目幅（開口部の幅Ｌ）は３００〜６５０μｍという目の細かいものとなっている。
【００２０】
ここで、上記フィルター６１，６２は、図３〜図７に示すように本体ハウジング１の後端開口縁に着脱自在に取り付けられる取付枠６５に取り付けられることで、本体ハウジング１に対して取付枠６５ごと着脱できるものとなっている。
【００２１】
なお、フィルター６１は図８に示すようにその端縁に設けた突片６４を取付枠６５に設けた係合穴６６に差し込み連結することで取付枠６５に固定されているのであるが、突片６４はその先端を折り返すとともに、取付枠６５の内面には突片６４を囲む凸部６７を設けることで、取付枠６５の内面にフィルター６１のエッジ部分が突出することがないようにされている。また、取付枠６５はフィルター６２よりも融点が低い合成樹脂成形材料で形性して、フィルター６２はその周縁を取付枠６５の内面に熱溶着によって固定してある。なお、上記凸部６７は取付枠６５の剛性を高めるものともなっている。
【００２２】
フィルター６３は上記フィルター６１と同様の素材及び開口率の自己保形性を有するもので、前記風洞２の後端開口縁に固定されている。このフィルター６３は、ごみや埃の除去というよりも、上記フィルター６１，６２を取り外した状態でモータ２０及びファン２１が駆動されることがあってもファン２１部分に指等が入らないようにするための安全性確保のためのものである。
【００２３】
ここにおいて、上記フィルター６１，６２（及びフィルター６３）が装着されたヘアドライヤーを作動させた時、吸入口６１から吸い込まれる空気は上記各フィルター６１，６２，６３を通過していくことになるが、最も目の細かいフィルター６２が実質的なゴミや埃の除去用のフィルターであり、フィルター６１はその自己保形性によって上記フィルター６２を保護する役割を主として担い、フィルター６３は上述のようにフィルター６１，６２を取り外した状態での安全性の確保の役割を主として担う。
【００２４】
そして、メインフィルターとして機能するフィルター６２が３００〜６５０μｍという目の細かい網目幅Ｌのものであるために、細かい埃や毛髪などがファン２１やモータ２０やヒータ部分に入ってしまうことを確実に防ぐことができるものである。
【００２５】
なお、フィルター６２の網目幅（網幅）Ｌが３００μｍより小さい場合、図１０(b)に示すように開口率が下がって風量が低下してしまう。また網幅Ｌが６５０μｍよりも大きくなると、埃等の異物をフィルター６２で捉えにくくなってしまう。
【００２６】
更にフィルター６２の開口率が５５％未満では、図１０(a)から明らかなように吐出口１２から吐出することができる温風の風量が少なくなって、ヘアドライヤーとしての機能に問題が生じ、開口率が９０％超では線幅が細くなりすぎて強度が低下し、フィルター６２に付着した埃をブラシなどで除去しようとした時にフィルター６２に破れが生じるものとなる。
【００２７】
フィルター６１，６３としては前述のように開口率が５０〜７５％程度のものを好適に用いることができる。またフィルター６１の厚みは２ｍｍ以下としておかないと、ファンとの風切り音や干渉音が発生して騒音が大きくなり、使用時に不快感を感ずるものとなる。
【００２８】
上述したところから明らかなように、取付枠６５ごとフィルター６１，６２を取り外すことができるようにしているのは、目の細かいフィルター６２に詰まった埃やごみの除去のためのブラシによる掃除や水洗いを行いやすくするためであるが、このために上記取付枠６５はその上下両端部に夫々フック部６８，６８を一体に備えており、このフック部６８を本体ハウジング１に係止することで本体ハウジング１に取り付けられる。なお、図１，３に示す実施例では、上方のフック６８を本体ハウジング１の内部に別部品として取り付けてある連結部材６９に係止させているが、図１１に示すように、本体ハウジング１内面に直接係止させてもよいのはもちろんである。
【図面の簡単な説明】
【００２９】
【図１】本発明の実施の形態の一例の縦断面図である。
【図２】同上の斜視図である。
【図３】同上の縦断面図である。
【図４】同上の部分分解斜視図である。
【図５】同上のフィルター部分の正面図である。
【図６】同上のフィルター部分の背面図である。
【図７】同上のフィルター部分の断面図である。
【図８】同上の部分断面図である。
【図９】同上のフィルターの部分拡大正面図である。
【図１０】(a)はフィルター開口率と風量との特性図、(b)はフィルター網幅と風量との特性図である。
【図１１】は他例の縦断面図である。
【符号の説明】
【００３０】
１  本体ハウジング
１１  吸入口
１２  吐出口
２０  モータ
２１  ファン
６１  第１のフィルター
６２  第２のフィルター
６３  第３のフィルター
【図１】
2008307221.tif 000003
【図２】
2008307221.tif 000004
【図３】
2008307221.tif 000005
【図４】
2008307221.tif 000006
【図５】
2008307221.tif 000007
【図６】
2008307221.tif 000008
【図７】
2008307221.tif 000009
【図８】
2008307221.tif 000010
【図９】
2008307221.tif 000011
【図１０】
2008307221.tif 000012
【図１１】
2008307221.tif 000013